(57)【要約】【課題】  簡単な構成で、操作性が極めて容易で気泡が注入される恐れがない輸液ポンプ用カセット及びそれに用いる携帯型輸液ポンプの提供。【解決手段】脱気モジュールを備え、回転により押圧して送液を行う輸液ポンプに着脱可能で輸液ポンプに回転可能に取り付けられたカバーの接触によりローラの回転軸に対してほぼ直角方向に移動するよう、輸液ポンプに設けられた可動係合部材に係合する係合部を有するベース部材と、ベース部材に係合し、かつローラの半径方向の少なくとも一方向の限られた範囲で可動し、ローラとの間に輸液チューブを押圧可能な円弧状部分を有する可動部材よりなり、ベース部材および可動部材は係合した状態で輸液チューブを送液流路に沿って配置する溝部を有し、溝部内に可撓性を有する輸液チューブを配置することにより可動部材の移動を弾性的に拘束することを特徴とする。【選択図】  図１
2006280391.tif 000002
【特許請求の範囲】
【請求項１】
疎水性多孔質膜を束ねてポッティングした脱気モジュールを備えた輸液チューブをローラの回転により押圧して送液を行う輸液ポンプに着脱可能で該輸液ポンプに回転可能に取り付けられたカバーの接触により前記ローラの回転軸に対してほぼ直角方向に移動するよう、該輸液ポンプに設けられた可動係合部材に係合する係合部を有するベース部材と、該ベース部材に係合し、かつ前記ローラの半径方向の少なくとも一方向の限られた範囲で可動し、前記ローラとの間に前記輸液チューブを押圧可能な円弧状部分を有する可動部材よりなり、前記ベース部材および前記可動部材は係合した状態で前記輸液チューブを送液流路に沿って配置する溝部を有し、前記溝部内に可撓性を有する前記輸液チューブを配置することにより前記可動部材の移動を弾性的に拘束することを特徴とする輸液ポンプ用カセット。
【請求項２】
請求項１に記載の輸液用ポンプカセットを備えたことを特徴とする携帯型輸液ポンプ。
【発明の詳細な説明】
【技術分野】
【０００１】
本発明は、体内に薬液(輸液)の注入を行うための輸液ポンプ、より具体的には輸液チューブをローラの回転により押圧して送液を行う輸液ポンプに容易に着脱できるカセット及びそれを備えた携帯型輸液ポンプ、特に在宅において輸液を行なうための携帯型輸液ポンプに関するものである。
【背景技術】
【０００２】
輸液ポンプは、患者への薬液注入を長時間にわたり自動的に管理するために使用される。特に小型の携帯型輸液ポンプは、医療費削減の観点や患者のＱＯＬの観点から在宅医療においても使用されることが多く、そのため輸液を行うための操作が簡便となるよう様々な工夫がなされている。
【０００３】
そのような工夫の１つに輸液のためのチューブセットに輸液ポンプに脱着可能なカセット部を形成し、ポンプへの装着を簡便にする方法がある。この方法によれば輸液チューブのポンプへのセッティングは容易となる一方で、ローラでチューブを押圧する際の対板となるステータがカセットとなるため、カセットのポンプへの装着位置誤差などの原因によりローラとステータの間隙にばらつきが生じる。すなわちチューブの押圧力が一定せず、結果として送液量に誤差がでる原因となる。
【０００４】
この送液誤差を抑えるため、ステータを垂直方向に可動な部材により形成し、カセットのハウジングに開口部を設けて可動部材を配置しポンプカセット挿入部のドアの内面にバネを設けてこれを可動部材の上面に接触させ可動部材を垂直方向に可動とした構造が提案されている（特許文献１：特表平１１−５０６３５５号）。
【特許文献１】特表平１１−５０６３５５号
【０００５】
この方法によれば、ローラとステータの間隙誤差がバネの作用により自動調整されるため安定した流量精度が確保できる。しかしながら前記方法による構造では、バネという新たな構成要素をポンプ本体のドア部に設置する必要があるだけでなく、カセットへのチューブ接続部が左右両端部に分かれているため、ポンプを携帯する場合の取り扱いが煩雑になるという問題があった。また、チューブ内に、生体に有害と考えられる値以上の気泡があってもアラームを発生しないという問題があった。
【発明の開示】
【発明が解決しようとする課題】
【０００６】
本発明は、このような上記問題に鑑みてなされたものであって、簡単な構成で、操作性が極めて容易で気泡が注入される恐れがない輸液ポンプ用カセット及びそれに用いる携帯型輸液ポンプを提供することを目的とする。
【課題を解決するための手段】
【０００７】
これらの問題を解決するために、本発明による輸液ポンプ用カセットは、疎水性多孔質膜を束ねてポッティングした脱気モジュールを備えた輸液チューブをローラの回転により押圧して送液を行う輸液ポンプに着脱可能で輸液ポンプに回転可能に取り付けられたカバーの接触によりローラの回転軸に対してほぼ直角方向に移動するよう、輸液ポンプに設けられた可動係合部材に係合する係合部を有するベース部材と、ベース部材に係合し、かつローラの半径方向の少なくとも一方向の限られた範囲で可動し、ローラとの間に輸液チューブを押圧可能な円弧状部分を有する可動部材よりなり、ベース部材および可動部材は係合した状態で輸液チューブを送液流路に沿って配置する溝部を有し、溝部内に可撓性を有する輸液チューブを配置することにより可動部材の移動を弾性的に拘束することを特徴とする。また、上記の輸液ポンプ用カセットを備えた輸液ポンプである。
【発明の効果】
【０００８】
上記構成によれば、特に在宅においても操作性が極めて容易で気泡が注入される恐れがない輸液ポンプ用カセット及びそれに用いる携帯型輸液ポンプが得られる。
【発明を実施するための最良の形態】
【０００９】
以下、本発明を実施例に基づいて詳述する。図１に、本発明に係る、着脱可能な使い捨ての輸液ポンプ用カセット及びそれを用いたローラポンプ式携帯型輸液ポンプの外観斜視図を示す。
【００１０】
図１において、１０は輸液ポンプ用カセットベース部材、２０はカセット可動部材、１００は携帯型輸液ポンプ本体である。携帯型輸液ポンプ本体１００は、カセットベース部材１０のスロット１２ａに挿入可能な突起１０４ａを有するカセットスライダ１０４を備えている。１０５は、カセットカバー１０３を開くためのスイッチで、押圧することにより、ラツチ部１０３ａが解除される。１０６は電源スイッチ、１１０は選択／入力スイツチ、１１１は液晶等で構成される表示部で、輸液ポンプの動作状態、輸液条件(輸液速度ｍｌ/ｈ，輸液量ｍｌ，輸液パターン等)が表示される。なお、輸液条件は、選択／入力スイツチ１１０で行われる。
【００１１】
また、カセット可動部材２０のスロット１２ｂに挿入可能な突起１０４ｂを有し、カセットスライダ１０４とは別に動作する第２のスライダ１２０を備えている。これらのスライダ１０４，１２０は、携帯型輸液ポンプ本体１００のカセット１０の装着面の一方向に移動可能で、かつ付勢部材(例えばコイルばね)によって外力がかからない状態においてその可動範囲内でローラ１０１から最も離れて留まるように設置されている。
【００１２】
携帯型輸液ポンプ本体１００に回動可能に取り付けられたカセットカバー１０３の回転運動に伴い、カセットカバー１０３のヒンジ部１０７がカセットスライダ１０４に押しつけられることにより、このカセットスライダ１０４は付勢部材(コイルばねによる力)に抗しローラ１０１に向かって移動する。即ち、カセットカバー１０３が開いた状態では、カセットスライダ１０４はローラ１０１から離れた状態にあり、カセット１を携帯型輸液ポンプ本体１００に装着しやすくなっている。
【００１３】
カセットカバー１０３を閉める操作と同時にカセット１はカセットスライダ１０４に押される形でローラ１０１に近づき、カセットカバー１０３が閉じた状態で、ローラ１０１とカセット可動部材２０のステータ部のほぼ円弧状の凹部２１が輸液ポンプ用チューブ３１を押圧しかつ送液に適切な押圧力保持する位置で停止する。また、カセットスライダ１０４の突起１０４ｂ，１０４ｃはカセット装着面において非対称位置に配置されているため、カセット１が携帯型輸液ポンプ本体１００に逆向きに装着されるのを防いでいる。
【００１４】
図１は、脱気モジュール付輸液ポンプ用カセット１を含む輸液セット２００の外観図の一例である。輸液を行なう場合の上流側から説明すると、２０１はびん針、２０２は補助バンド、２０３は点滴筒、３１はポンプチューブ、１はカセット、２０４は脱気モジュール、２０５はクランプ、２０６はローラー、２０７はト字側注口、２０８はフィルター、２０９はクランプ、２１０はト字側注口、２１１はコネクタである。これらはいずれも熱可塑性樹脂で成形されている。患者に輸液を行なう場合、びん針２０１を輸液バッグのゴム栓（不図示）に穿刺し、連通させる。一方、コネクタ２１１は、患者の静脈針（不図示）と連通する。
【００１５】
カセット1を携帯型輸液ポンプ本体１００に装着する前の状態においては、輸液チューブ３１、クランプ２０５、スライドクランプ２０９は開放されている。このため、輸液チューブ３１内の滅菌が可能で、保管時の輸液チューブ３１の癒着による閉塞を防止している。カセット１を携帯型輸液ポンプ本体１００に装着する場合、まず、携帯型輸液ポンプ本体１００のカバー１０３を開放状態に回動させて、携帯型輸液ポンプ本体１００のカセット装着面を露出させる。
【００１６】
次にカセット１のカセットベース部材１０およびカセット可動部材２０にスロット１２１２ａ，１２ｂと携帯型輸液ポンプ本体１００のカセットスライダの突起１０４ｂ，１０４ｃが係合するようにカセット１を携帯型輸液ポンプ本体１００に載置する。しかる後、携帯型輸液ポンプ本体１００のカセットカバー１０３を回動させて閉じる状態にすると、前述のようにカセットスライダ１０４が移動する。即ち、カセット１がローラ１０１に向かって移動する。
【００１７】
この後、カセットカバー１０３を閉じる方向にさらに回動させ、ラッチ部１０３ａを携帯型輸液ポンプ本体１００に係合させて閉めることにより、輸液チューブ３１は開放する。患者に輸液を行なう場合、びん針２０１を輸液バッグのゴム栓（不図示）に穿刺し、連通させる。プライミング後、スイッチ１０５を押し、輸液を開始させる。携帯型輸液ポンプ本体１００には、安全のため、チューブ閉塞アラーム、空液アラーム、気泡アラーム、バッテリ低下アラーム等のアラーム機能を備えている。本発明の輸液ポンプ用カセット１では脱気モジュール２０４を備えているため、患者の静脈へ気泡が注入されるおそれは極めて低い。さらに、脱気モジュールによって  輸液内の溶存ガス(酸素，窒素，空気等)が脱気されることで、輸液ポンプ用カセット１の凹部２１付近でローラ１０１による輸液チューブ３１の加減圧で発生するはずの気泡が実施的に発生しないため、携帯型輸液ポンプの気泡アラームが発生する可能性が極めて低くなる。
【００１８】
輸液終了後または輸液交換時に、ラッチ部１０３ａを押して解除し、カセットカバー１０３ａを開く方向に回動させると、輸液チューブ３１は閉塞され、フリーフローが防止される機構となっている。
【００１９】
図３は、脱気モジュール２０４の一例を示すものである。図３（ａ）は長手方向の断面、図３（ｂ）は、外観斜視図である。構造は、内径２.４ｍｍ程度の輸液チューブ３１の中に疎水性材料であるポリプロピレン製の外径０.３ｍｍ程度、内径０.２ｍｍ程度の多孔質中空糸膜を束ねてポッティングし、内面膜面積５〜５０ｃｍ２で形成されている。輸液剤がこの中空糸の内部を流れ、溶存ガスを含む気体が中空糸外面から放出される。この、内部灌流式の脱気モジュール２０４を用いると、減圧装置を用いる必要がない簡単な構造で、輸液総量に関係なく脱気ができる。
【００２０】
以上、実施例に基づき説明したが、適宜変更が可能であり、実施例に限定されるものではない。
【図面の簡単な説明】
【００２１】
【図１】本発明の実施例における輸液ポンプ用カセットを含む輸液セットの外観図である。
【図２】本発明の実施例における輸液セットに用いる携帯型輸液ポンプの外観図である。
【図３】本発明の実施例における脱気モジュールの長手方向の断面図及び外観斜視図である。
【符号の説明】
【００２２】
１  カセット、３１  輸液チューブ、１００  携帯型輸液ポンプ本体、２０４脱気モジュール
【図１】
2006280391.tif 000003
【図２】
2006280391.tif 000004
【図３】
2006280391.tif 000005